(57)【要約】【課題】  浴槽水中の気泡に対する局所的かつ直線的な光照射によって、従来装置では不可能であった様々な光演出を可能とするリラックス効果に優れた入浴装置を提供する。【解決手段】  浴槽水に直径0.2μmから100μmの微細気泡４を発生させる気泡発生手段２と、浴槽水へのレーザー光照射手段３とを備えている。【選択図】図１
2006296913.tif 000002
【特許請求の範囲】
【請求項１】
浴槽水に直径0.2μmから100μmの微細気泡を発生させる気泡発生手段と、浴槽水へのレーザー光照射手段とを備えたことを特徴とする入浴装置。
【請求項２】
レーザー光の波長が360nmから830nmである請求項１の入浴装置。
【請求項３】
レーザー光によって浴槽水に映像が投影される請求項１または２の入浴装置。
【請求項４】
人体に対するレーザー光の照射を予防するための人体検知手段を備えた請求項１から３のいずれかの入浴装置。
【発明の詳細な説明】
【技術分野】
【０００１】
本願発明は、入浴装置に関するものである。
【背景技術】
【０００２】
身体的にだけでなく、精神的にもリラックスした時間を得ることは入浴の大きな目的の一つである。入浴中のリラックス効果を得るための手段の一つとして、従来から浴室内や浴槽内、浴槽水等に対する照明が利用されている。例えば、浴室全体の照度を落とし、間接照明による光で浴室内の一部や浴槽水の表面全体を照らすことによって、視覚的なリラックス効果を提供することが試みられている。また、照明器具を浴槽水に浮かべる装置や、浴槽壁面内部に照明器具を設置した浴槽なども知られている。
【０００３】
一方、マッサージ効果や入浴後の体温維持効果を目的として浴槽水に気泡水流を発生させる気泡発生浴槽が知られているが、この気泡に光を照射することによって浴槽水を彩色し、視覚的なリラックス効果をさらに促進させるための入浴装置が提案されている。例えば、特許文献１−３には、気泡発生手段と、この気泡発生手段から噴射された気泡に対して光を照射する照明装置とを浴槽壁に備えた浴槽が開示されている。また特許文献４には、直径5から10μmの微細気泡によって白濁した浴槽水をスクリーンとして、浴槽内の照明装置から可変色の光を照射することによって光の演出を行う光演出装置付き浴槽が記載されている。
【特許文献１】特開２００１−１７３２４６号公報
【特許文献２】特開平３−９９６１７号公報
【特許文献３】特開平４−２６１６５９号公報
【特許文献４】特開２００２−２９１６３４号公報
【発明の開示】
【発明が解決しようとする課題】
【０００４】
特許文献１−４等の入浴装置の場合には、気泡に対して光を照射するための照明装置がランプやＬＳＤ等の拡散光照射装置であり、浴槽水に噴射された気泡全体に光が照射されるようになっている。このため、気泡全体の色を様々なに変化させるような演出は可能であるが、局所的あるいは直線的な光照射による光演出は不可能であり、視覚的効果の増大には限界があった。
【０００５】
本願発明は、以上のとおりの従来技術における限界を解消し、浴槽水中の気泡に対する局所的かつ直線的な光照射によって、従来装置では不可能であった様々な光演出を可能とするリラックス効果に優れた入浴装置を提供することを課題としている。
【課題を解決するための手段】
【０００６】
本願発明の入浴装置は、第１には、浴槽水に直径0.2μmから100μmの微細気泡を発生させる気泡発生手段と、浴槽水へのレーザー光照射手段とを備えたことを特徴としている。
【０００７】
また本願発明の入浴装置は、第２には、レーザー光の波長が360nmから830nmであることを特徴とする。
【０００８】
さらに本願発明の入浴装置は、第３には、レーザー光によって浴槽水に映像が投影されることを特徴とする。
【０００９】
またさらに、本願発明の入浴装置は、人体に対するレーザー光の照射を予防するための人体検知手段を備えていることを特徴とする。
【発明の効果】
【００１０】
本願第１の発明の入浴装置においては、浴槽水中の微細気泡に対して極めて局所的かつ直線的な光照射が可能となる。すなわち、レーザー光は、指向性、単色性、高輝度性、操作性等に優れているため、これを微細気泡に反射させることによって、鮮やかな直線的色光を浴槽水に形成することができる。これによって浴槽水に対して他種多様な光演出が可能となり、視覚的なリラックス効果が一層増大する。
【００１１】
第２の発明では、レーザー光の波長が360nmから830nmであり、可視光を中心として紫外光から近赤外光の範囲のレーザー光が多様な光演出を可能とする。
【００１２】
第３の発明では、例えば浴槽の上方からのレーザー光照射によって、微細気泡による白濁化した浴槽水に映像を投影させることができ、光演出の多様性がさらに増大する。
【００１３】
第４の発明では、人体検知手段によってレーザー光が人体、特に眼球等に照射されることが予防される。
【発明を実施するための最良の形態】
【００１４】
本願発明は、前記のとおりの特徴を有するものであるが、以下に、発明を実施するための最良の形態を図１および図２を参照して説明する。
【００１５】
図１は、本願発明の入浴装置の一実施形態を例示した側断面図である。
【００１６】
図１に例示した入浴装置は、浴槽１の壁面下方に気泡発生手段２を備えており、また浴槽１の壁面に複数個のレーザー光照射手段３を備えている。気泡発生手段２から噴出された微細気泡４は直径0.2μmから100μmであり、この微細気泡４に対して、レーザー光照射手段３からレーザー光５が照射され、微細気泡４に反射して直線的は色光が形成される。
【００１７】
気泡発生手段２は、例えば特許文献４に開示されているような装置手段を採用することができる。すなわち、モータ駆動によってポンプ内に吸入された浴槽水と大気中とがポンプ内で加圧溶解され、アキュムレータにより整流され、噴出口に供給される。噴出口では加圧溶解水が減圧され、噴出口の細孔カートリッジを通過して、微細気泡４が浴槽水中に噴出する。加圧や減圧、整流の程度、あるいはカートリッジの孔経等を調節することによって、直径0.2μmから100μmの微細気泡が噴出される。
【００１８】
直径0.2μmから100μmの微細気泡４は、発生からしばらくは浮上消滅しないため、レーザー光５による直線的は色光が長時間持続する。ただし、微細気泡４は僅かずつ消滅していくため、レーザー光５による色光の消長が影響をうけ、より複雑な視覚的効果が発現する。
【００１９】
気泡発生手段２は、浴槽１の任意の壁面箇所に複数個あってもよい。また複数個の気泡発生手段２は、それぞれ同一サイズの微細気泡４を発生してもよく、あるいはそれぞれに異なるサイズの微細気泡４を発生してもよい。異なるサイズの微細気泡は、それぞれに消滅する時期が異なるため、レーザー光５による色光の消長が多様となり、多様な光演出が可能となる。
【００２０】
レーザー光照射手段３は、可視光領域（波長400nmから720nm）を中心として、紫外光領域から近赤外光領域をカバーする範囲（波長360nmから830nm）のレーザー光を照射することのできる装置を使用することができる。例えば、可視光レーザーとしては、赤色半導体レーザー（AlGalnP、GalnP、AlGaA）、緑色半導体レーザー（ZnSSe、ZnCdSe）、青色半導体レーザー（InGaN）、自由電子レーザー、OPOレーザー、色素レーザー、アレキサンドライトレーザー、Krイオンレーザー、ルビーレーザー、Tiサファイアレーザー、He-Cdレー
ザー、He-Neレーザー、銅蒸気レーザー、Nd:YAG二倍高周波、Arイオンレーザー等を使用
することができる。またこれらの装置によって照射されるレーザー光５は、入浴者の人体への影響を考慮して、国際電気標準会議（IEC）による出力クラス１、１M、２、２M程度
のものが好ましい。
【００２１】
レーザー光照射手段３は、浴槽１の任意の壁面箇所に1以上設置される。レーザー光照
射手段３の設置位置は、図1に例示したように、浴槽水に浸る位置であってもよく、ある
いは、浴槽１の壁面上部方向から浴槽水表面にレーザー光５を照射するような位置であってもよい。またレーザー光照射手段３が複数個の場合は、それぞれが同一の色調、波長からなるレーザー光５を照射してもよく、あるいは異なる色調、波長のレーザー光５を照射してもよい。さらに、レーザー光照射手段３は、レーザー光５の照射方向が一定であってもよく、あるいは手動または自動で可変とするものであってもよい。ただし、レーザー光５の照射方向は、水平より下方とすることが好ましい。レーザー光５が水平以上に照射された場合には、入浴者の眼球にレーザー光５が照射される危険性があり、好ましくない。また、レーザー光照射手段３には、人体検知手段としての各種センサーを接続させ、レーザー光５の照射方向に人体を検知した場合にはレーザー光５を停止させるようにしてもよい。
【００２２】
なお、レーザー光照射手段３は、手動スイッチによって随時に作動させることができ、あるいは気泡発生手段２の作動と自動的に連動させるようにすることもできる。
【００２３】
図２は、本願発明の入浴装置の別の実施形態を例示した側断面図である。
【００２４】
図２に例示した入浴装置では、浴室１０の天井面１１にレーザー光照射手段３が設置されており、浴槽１の壁面に配設された気泡発生手段２から噴出した微細気泡４に対して、浴槽上方からレーザー光５が照射される。またレーザー光照射手段３には人体検知手段６が接続されており、入浴者には直接的にレーザー光５が照射されないようになっている。
【００２５】
さらに、レーザー光照射手段３から複数のレーザー光５が一斉に、そして一定のパタンで照射された場合には、微細気泡４によって白濁した浴槽水がスクリーンとなり、映像が投影されるようになる。この時、図1に例示したように浴槽壁面のレーザー光照射手段３
から浴槽水中にレーザー光５を別途に照射するようにしてもよい。あるいは特許文献４に開示されているようなランプ拡散光を背景光として微細気泡４に照射するようにしてもよい。
【００２６】
本願発明は、もちろん以上の例によって限定されるものではなく、細部については様々な態様が可能であることは言うまでもない。
【図面の簡単な説明】
【００２７】
【図１】本願発明の入浴装置の一実施形態を例示した側断面図である。
【図２】本願発明の入浴装置の別の実施形態を例示した側断面図である。
【符号の説明】
【００２８】
１  浴槽
２  気泡発生手段
３  レーザー光照射手段
４  微細気泡
５  レーザー光
６  人体検知手段
１０  浴室
１１  天井
【図１】
2006296913.tif 000003
【図２】
2006296913.tif 000004